(57)【要約】【課題】建築物の柱等の構造躯体の外周部に構造強化用面材を使用した建築物で、構造強化用面材の更に外側に所定の空間を置いて配置されるレンガ壁の耐震性を向上できるレンガ壁支持構造およびレンガ壁形成方法を得ること。【解決手段】構造躯体１１における住宅の外部との境界面には構造強化用面材１２が釘で固定されている。レンガ壁１３は構造強化用面材１２を構成する面と所定の間隔を保っている。ウオールタイ１４は、螺刻された一端部分を構造強化用面材１２を介して構造躯体１１に螺入して固定し、他端部分を折り曲げてレンガ壁１３内部に目地と共に固定することで構造躯体１１とレンガ壁１３をユニット単位で支持する。【選択図】図１
2014201871.tif 000002
【特許請求の範囲】
【請求項１】
住宅の骨組みとしての構造躯体と、
この構造躯体における前記住宅の外部との境界面に対して釘によって固定される平板状の構造強化用面材と、
この構造強化用面材を構成する面と所定の間隔を保つようにして前記住宅の外部に配置され、目地を介して直方体をした化粧レンガを壁状に垂直方向および水平方向に複数配置してなるレンガ壁と、
このレンガ壁を垂直方向および水平方向に所定の長さからなる単位領域としてのユニットごとに架空的に分割したときの、これらのユニット単位で前記構造強化用面材の対応位置から、断面が円形をし一端部分を螺刻された１本の鋼材の前記一端部分を螺入することでその部分を固定すると共に、その鋼材の他端部分を前記レンガ壁の前記化粧レンガ同士が垂直方向に隣接して配置されるべき箇所に水平面内で折り曲げて配置して前記目地と共に固定することで前記構造躯体とレンガ壁をユニット単位で支持するウオールタイ
とを具備することを特徴とするレンガ壁支持構造。
【請求項２】
前記ウオールタイと前記構造強化用面材および前記レンガ壁の接点は、共に剛接合となっていることを特徴とする請求項１記載のレンガ壁支持構造。
【請求項３】
前記構造躯体が耐震設計における許容範囲内での最大の揺れを生じたとき、前記構造躯体およびレンガ壁にそれぞれの端部を固定したウオールタイが降伏点に未到達となるような化粧レンガの集まりからなる矩形をした仮想領域を前記ウオールタイの１本１本が担当して受け持つユニットとして予め設定しておくことを特徴とする請求項１記載のレンガ壁支持構造。
【請求項４】
前記構造躯体が耐震設計における許容範囲内での最大の揺れを生じたとき、前記構造躯体およびレンガ壁にそれぞれの端部を固定したウオールタイが可逆的な変位を行い、外力を除去すると短時間に元の形状に復帰する範囲の化粧レンガの集まりからなる矩形をした仮想領域を前記ウオールタイの１本１本が担当して受け持つユニットとして予め設定しておくことを特徴とする請求項１記載のレンガ壁支持構造。
【請求項５】
前記ウオールタイの前記一端部分の先端はテーパ形状に螺刻されており、前記一端部分の全体を前記間柱に螺入して固定することを特徴とする請求項１記載のレンガ壁支持構造。
【請求項６】
前記ウオールタイの前記他端部分は水平に折れ曲がった形状に加工された後、前記化粧レンガ同士の垂直方向における接合箇所であるモルタル目地にそれぞれ埋設されることで前記レンガ壁に固定されることを特徴とする請求項１記載のレンガ壁支持構造。
【請求項７】
前記構造躯体の基礎を構成する垂直な壁面における前記レンガ壁と対向する面の上部には防水シートの上部が配置され、この防水シートの下部は前記レンガ壁の最下端面と前記基礎を構成する所定の水平な面の間に挟持されていることを特徴とする請求項１記載のレンガ壁支持構造。
【請求項８】
前記レンガ壁の所定段を構成する横一列に配置された前記化粧レンガの接合部の少なくとも一部には、所定の形状をした換気筒が配置されていることを特徴とする請求項１記載のレンガ壁支持構造。
【請求項９】
前記レンガ壁の所定段を構成する横一列に配置された前記化粧レンガの上面と更に１段上に横一列に配置された化粧レンガの下面との間に配置される目地には、梯子を水平に配置した形状をした梯子筋が構造強化部材として埋設されていることを特徴とする請求項１記載のレンガ壁支持構造。
【請求項１０】
前記梯子筋は横方向に連なるユニットを構成する複数の前記化粧レンガの上部を１箇所で横断するように配置されることを特徴とする請求項９記載のレンガ壁支持構造。
【請求項１１】
住宅の骨組みとしての構造躯体における前記住宅の外部との境界面に平板状の構造強化用面材を釘によって固定する構造強化用面材固定ステップと、
この構造強化用面材固定ステップで固定した前記構造強化用面材に対して前記基礎からの高さが予め定めた１ユニットの高さ単位で前記化粧レンガが積み上げられるたびに予め定めた水平方向に間隔を置いて細長い鋼材からなるウオールタイの一端部分を貫通させ前記構造躯体にねじ込むことで剛接合するウオールタイ一端側剛接合ステップと、
このウオールタイ一端側剛接合ステップで一端部分を構造躯体に剛接合した前記ウオールタイの他端側を水平面内で直角に折り曲げるウオールタイ折り曲げステップと、
前記住宅の基礎に対して前記構造強化用面材と所定の間隔を置いて化粧レンガを１段ずつ積層して所定サイズのレンガ壁を形成していく化粧レンガ積層ステップと、
この化粧レンガ積層ステップで前記化粧レンガを１段ずつ積層していくとき、前記ウオールタイ一端側剛接合ステップで前記構造強化用面材に剛接合したウオールタイのいずれかが前記化粧レンガの所定段における上面の高さに一致するようになったとき、該当するウオールタイにおける前記ウオールタイ折り曲げステップで直角に折り曲げた前記他端側を、この折り曲げにより生じた面がこれらの化粧レンガの前記上面と平行になるように配置することで剛接合するウオールタイ他端側剛接合ステップと、
このウオールタイ他端側剛接合ステップで前記該当するウオールタイを化粧レンガの前記上面と平行になるように配置した後、その上に目地を介して前記化粧レンガの積層を開始することで予め定めた高さまで化粧レンガの積み上げと前記ウオールタイの剛接合を順次行ってレンガ壁を形成するレンガ壁形成ステップ
とを具備することを特徴とするレンガ壁形成方法。
【請求項１２】
前記化粧レンガ積層ステップで前記化粧レンガを積層する過程で前記１ユニットを単位として前記レンガ壁の高さが高くなるたびに次の段の化粧レンガを積み上げる前に梯子を水平に配置した形状をした梯子筋を構造強化部材として前記化粧レンガの上面に配置する梯子筋配置ステップを更に具備することを特徴とする請求項１１記載のレンガ壁形成方法。
【請求項１３】
前記化粧レンガ積層ステップで前記化粧レンガを積層する過程で、前記構造強化用面材と前記レンガ壁の間の空間の換気が必要とされる所定の高さに相当する化粧レンガ同士の継ぎ目に所定の形状をした換気手段を配置する換気手段配置ステップを更に具備することを特徴とする請求項１１記載のレンガ壁形成方法。
【請求項１４】
前記換気手段は所定の形状をした換気筒あるいは換気用の目地であることを特徴とする請求項１３記載のレンガ壁形成方法。
【発明の詳細な説明】
【技術分野】
【０００１】
本発明は、化粧レンガを複数積層したレンガ壁についてのレンガ壁支持構造およびレンガ壁形成方法に関する。本発明は、特に建築物の壁面としての構造躯体の外周面と所定の間隔を置いて配置されるレンガ壁についてのレンガ壁支持構造およびレンガ壁形成方法に関する。
【背景技術】
【０００２】
２００年住宅（長々期優良住宅）と呼ばれる質の高い住宅の建築が、国家の主要な住宅政策となっている。家屋等の壁面に化粧レンガ（煉瓦）を用いると、地球環境に優しい高気密で高断熱の住宅を実現することができる。レンガ積みの家は、耐久性や耐火性ならびに遮音性に優れており、夏は涼しく、冬は温かい。レンガ積みの家はこのように優れた数々の利点があるものの、地震の多い我が国ではレンガ壁の耐震性に不安を感ずる人が多いのも事実である。
【０００３】
そこで化粧レンガをレンガ壁として使用する場合に、建築物の柱等の構造躯体の外周面と連携することでレンガ壁の耐震性を向上させることが本発明の第１の関連技術として提案されている（たとえば特許文献１参照）。この第１の関連技術では、レンガ壁を構成するそれぞれの化粧レンガの垂直（上下）方向に開けられた穴にボルトを貫通させ、これら化粧レンガを垂直方向に互いに連結するようにしている。また、剪断補強金物および剪断補強手段を用いて建築物の構造躯体の外周面とその外側のレンガ壁とを所定の間隔を置いて連結する。
【０００４】
ここで剪断補強金物は、レンガ壁の最上端に固定され、構造躯体の外周面側に水平に延びて、その外周面に沿って下側に直角に屈曲し、ボルトによって構造躯体の外周面に固定（ピン接合）されるようになっている。たとえば２階建ての家屋の場合には、２階の天井とほぼ同位置の構造躯体の外周面に剪断補強金物が取り付けられる。
【０００５】
また、剪断補強手段は、一端をレンガ壁の内部に固定（剛接合）された外壁側ブラケットと、このレンガ壁に対向する構造躯体の横架材表面に固定（ピン接合）された内壁側ブラケットとから構成される。前記した２階建ての家屋の場合には、１階と２階の境の位置に存在する２階床組を支持する横架材の高さ方向の位置で、外壁と横架材の間を連結することになる。
【０００６】
このような第１の関連技術によれば、建築物の柱等の構造躯体の外周面が剪断補強金物および剪断補強手段を介してレンガ壁としての外壁にピン接合される。ここでピン接合（hinge）とは部材と部材の接合が角度の拘束なしに変化する接合形式をいう。これに対する用語としての、剛接合(rigid joint)とは、接合された部材相互間の角度が外力を受けても変化しない接合形式をいう。
【０００７】
地震が発生したとする。構造躯体と所定の間隔を置いてレンガ壁が配置されている場合、建築物の柱等の構造躯体に作用する地震荷重は、前記した剪断補強金物および剪断補強手段を介してレンガ壁に伝達する。レンガ壁は、前記したボルトによって短期水平荷重に抗する耐力を十分に備える。したがって、レンガ壁は、実質的に鉛直荷重のみを負担することになり、かなりの地震力に対してその全体破壊ないし崩壊を生じさせない耐力を保有することになる。
【０００８】
一方、レンガ壁と建築物の柱等の構造躯体の外周部との間に断熱材という板材を配置することが本発明の第２の関連技術として提案されている（たとえば特許文献２参照）。この第２の関連技術では、柱等の構造躯体の外周部に断熱材を取り付け、この断熱材とレンガ壁の間を所定の間隔だけ開けて、通気層としている。通気層を配置する点では、第１の関連技術と同様である。
【０００９】
第２の関連技術では、帯バンドの一端を直角に折り曲げて、平板状の断熱材を介して釘で柱の正面に固定（ピン接合）し、この帯バンドの他端側を、レンガの間の目地部に配設した横筋に巻き付けて固定するようになっている。この第２の関連技術では、レンガの３段ごとに外壁と断熱材の間に帯バンドを配置する。
【００１０】
以上説明したようにレンガ積みの家のレンガ壁と建築物の柱等の構造躯体あるいはその外周に配置した合板との間に所定の間隔を置いて通気層を配置する構造をとる場合、第１の関連技術では剪断補強金物や剪断補強手段を用いて各階に１箇所ずつこれらの間を連結している。
【００１１】
レンガ壁の１階分を構成する化粧レンガの数は比較的多い。このため第１の関連技術ではボルトや金属プレートといった化粧レンガ同士を連結する部品を数多く併用して、レンガ壁の高さ方向における耐震性を向上する必要がある。したがって、これらの部品によって資材費が多く掛かるだけでなく、化粧レンガ同士の連結作業に多くの労働力を必要とするという問題があった。
【００１２】
一方、第２の関連技術では、化粧レンガを３段積み上げるたびに目地の部分に外面材の横筋を配置している。また、個々の化粧レンガを構成するレンガの配筋孔には縦筋を入れてレンガを積層している。この結果として、化粧レンガは第１の関連技術における場合よりも少ない単位で帯バンドによって断熱材ならびに柱に連結される。これにより、地震によるレンガ壁の倒壊のおそれを軽減することができるものの、第２の関連技術でも横筋や縦筋といった部品を数多く必要とし、資材費が多く掛かると共に、これらの部品を用いた施工には多くの労働力を必要とするという問題があった。
【００１３】
そこで、発明者は本発明の第３の関連技術を先に提案した。この第３の関連技術では、住宅の骨組みとしての構造躯体を構成する間柱等の柱に対してウオールタイと呼ばれる部品の一端を釘付けするようにしている。
【００１４】
図３５は、発明者が先に提案したウオールタイとその使用例を原理的に示したものである。ウオールタイ９０１は平板状の金属をＬ字状に打ち抜いたもので、その一端部分９０１Ａを直角に折り曲げている。この一端部分９０１Ａには穴９０２が穿たれている。この穴９０２から、構造躯体としての柱９０３に図示しない釘を打ち込んで一端部分９０１Ａを固定（ピン接合）する。
【００１５】
ウオールタイ９０１の水平方向に直角に折れ曲がった他端部分９０１Ｂは、レンガ壁として積み上げているレンガ９０４の上面とほぼ同一の高さとなるように予め位置決めしている。この他端部分９０１Ｂをレンガ９０４の上面に配置して、図示しないモルタル目地を用いて図示しないレンガを更に１段積み上げて固定（剛接合）する。
【００１６】
ウオールタイ９０１の一端部分９０１Ａと他端部分９０１Ｂを結ぶ腕９０１Ｃの長さは、柱９０３とこれに対向して配置されるレンガ９０４との間隔ｄを考慮して、これよりも長く設定する。ウオールタイ９０１をレンガ９０４の数段置きに配置してレンガ壁を構成すれば、構造躯体が風や地震によって変形した際にレンガ壁の崩壊を効果的に防止することができる。
【先行技術文献】
【特許文献】
【００１７】
【特許文献１】特開２００４−０２７８１９号公報（第００１７段落〜第００１９段落、図１）
【特許文献２】特開２００２−２９４８９４号公報（第００３３段落〜第００３５段落、図１〜図３）
【発明の概要】
【発明が解決しようとする課題】
【００１８】
ところで、近時では建築物の内壁の外側に構造強化用面材あるいは耐力面材を配置して、地震や強風に対して建物の変形を起こしにくくする工夫が広く行われている。レンガをレンガ壁として使用する場合には、この構造強化用面材の更に外側にレンガ壁を配置することになる。
【００１９】
構造躯体の外側に構造強化用面材を配置するような工法を採る場合には、図３５に示した構造躯体としての柱９０３の代わりに構造強化用面材の対向面にウオールタイの一端部分９０１Ａを当てて、穴９０２を使用して構造強化用面材に釘を打ち込むことになる。これにより、ウオールタイ９０１が住宅の構造躯体側に固定（ピン接合）される。
【００２０】
ところが、この第３の関連技術におけるウオールタイの腕９０１Ｃの先端に位置する一端部分９０１Ａは１枚の金属板を打ち抜いて直角に折り曲げた部分である。このため、地震等の外力が発生して構造躯体としての柱９０３に上下方向の強い力が作用すると、この直角に折れ曲がった箇所が角度変更を生ずるような変形を比較的容易に生じさせる。また、この直角に折れ曲がった箇所が角度変更を生じさせなくても、一端部分９０１Ａの穴９０２から柱９０３に打ち込んだ釘が比較的容易に抜けかけてウオールタイ９０１と柱９０３の固定関係が崩れる。
【００２１】
第１〜第３の関連技術では、以上説明したようにレンガ壁とこれに対向する住宅等の建築物側の部材とを接合する際に、この接合箇所の少なくとも一部をピン接点で接合していた。この結果、住宅等の建築物側とレンガ壁の連携が良好に行われずに、レンガ壁の崩壊を効果的に防止することができない場合があった。
【００２２】
そこで本発明の目的は、建築物の柱等の構造躯体の外周部に構造強化用面材を使用した建築物で、構造強化用面材の更に外側に所定の空間を置いて配置されるレンガ壁の耐震性を向上させることのできるレンガ壁支持構造およびレンガ壁形成方法を提供することにある。
【課題を解決するための手段】
【００２３】
本発明では、（イ）住宅の骨組みとしての構造躯体と、（ロ）この構造躯体における前記した住宅の外部との境界面に対して釘によって固定される平板状の構造強化用面材と、（ハ）この構造強化用面材を構成する面と所定の間隔を保つようにして前記した住宅の外部に配置され、目地を介して直方体をした化粧レンガを壁状に垂直方向および水平方向に複数配置してなるレンガ壁と、（ニ）このレンガ壁を垂直方向および水平方向に所定の長さからなる単位領域としてのユニットごとに架空的に分割したときの、これらのユニット単位で前記した構造強化用面材の対応位置から、断面が円形をし一端部分を螺刻された１本の鋼材の前記した一端部分を螺入することでその部分を固定すると共に、その鋼材の他端部分を前記したレンガ壁の前記した化粧レンガ同士が垂直方向に隣接して配置されるべき箇所に水平面内で折り曲げて配置して前記した目地と共に固定することで前記した構造躯体とレンガ壁をユニット単位で支持するウオールタイとをレンガ壁支持構造が具備する。
【００２４】
また、本発明では、（イ）住宅の骨組みとしての構造躯体における前記した住宅の外部との境界面に平板状の構造強化用面材を釘によって固定する構造強化用面材固定ステップと、（ロ）この構造強化用面材固定ステップで固定した前記した構造強化用面材に対して前記した基礎からの高さが予め定めた１ユニットの高さ単位で前記した化粧レンガが積み上げられるたびに予め定めた水平方向に間隔を置いて細長い鋼材からなるウオールタイの一端部分を貫通させ前記した構造躯体にねじ込むことで剛接合するウオールタイ一端側剛接合ステップと、（ハ）このウオールタイ一端側剛接合ステップで一端部分を構造躯体に剛接合した前記したウオールタイの他端側を水平面内で直角に折り曲げるウオールタイ折り曲げステップと、（ニ）前記した住宅の基礎に対して前記した構造強化用面材と所定の間隔を置いて化粧レンガを１段ずつ積層して所定サイズのレンガ壁を形成していく化粧レンガ積層ステップと、（ホ）この化粧レンガ積層ステップで前記した化粧レンガを１段ずつ積層していくとき、前記したウオールタイ一端側剛接合ステップで前記した構造強化用面材に剛接合したウオールタイのいずれかが前記した化粧レンガの所定段における上面の高さに一致するようになったとき、該当するウオールタイにおける前記したウオールタイ折り曲げステップで直角に折り曲げた前記した他端側を、この折り曲げにより生じた面がこれらの化粧レンガの前記した上面と平行になるように配置することで剛接合するウオールタイ他端側剛接合ステップと、（へ）このウオールタイ他端側剛接合ステップで前記した該当するウオールタイを化粧レンガの前記した上面と平行になるように配置した後、その上に目地を介して前記した化粧レンガの積層を開始することで予め定めた高さまで化粧レンガの積み上げと前記したウオールタイの剛接合を順次行ってレンガ壁を形成するレンガ壁形成ステップとをレンガ壁形成方法が具備する。
【発明の効果】
【００２５】
以上説明したように本発明によれば、レンガ壁を垂直方向および水平方向に所定の長さからなる単位領域としてのユニットごとに架空的に分割したときの、これらのユニット単位でウオールタイと称する棒状の鋼材を構造強化用面材を介する形で構造躯体側とレンガ壁に固定することにした。したがって、構造躯体が耐震設計における許容範囲内での最大の揺れを生じたとき、前記した構造躯体およびレンガ壁にそれぞれの端部を固定したウオールタイが降伏点に未到達となるような化粧レンガの集まりからなる矩形をした仮想領域を前記したウオールタイの１本１本が担当して受け持つユニットとして予め設定しておけば、ウオールタイはレンガ壁をユニット単位で弾性的に支持することができる。また、ユニットのサイズを更に狭めてウオールタイが可逆的な変位を行い、外力を除去すると短時間に元の形状に復帰する範囲とすれば、ウオールタイがレンガ壁をユニット単位で吊った状態に保つことができて、レンガ壁の崩壊を更に効果的に抑止することができる。
【００２６】
しかも本発明でウオールタイの１本１本は構造強化用面材を貫通しており、これらの一端側を構造躯体に釘ではなくネジの螺合によって固定し、他端側をレンガ壁の内部に折り曲げて配置することで固定している。したがって、ウオールタイの一端側と他端側は構造強化用面材を支点として逆方向の力を伝達することになる。ウオールタイはユニット単位で配置されるので、ユニットごとにウオールタイを介して構造躯体に加わる外力と逆方向の向きの力がレンガ壁に加わる。地震によって仮に構造躯体とレンガ壁に同一方向の外力が加わったとした場合、ウオールタイはユニット単位で外力に抗する力をレンガ壁に作用することになる。
【００２７】
第２の関連技術では、断熱材という中間的な部材が構造躯体とレンガ壁の間に存在するものの、この中間的な部材を支点として構造躯体とレンガ壁を連結する１本の部材は存在していない。このため、構造躯体に加わる外力は断熱材という中間的な部材にそのままの方向で伝達し、中間的な部材に加わった力はそのままの方向でレンガ壁に伝達する。この結果、レンガ壁は地震によって加わる外力と同一方向の力を構造躯体から加えられるので、その崩壊を早めることになる。
【００２８】
また、第１の関連技術では、中間的な部材が構造躯体とレンガ壁の間に存在しない。したがって、構造躯体に加わる外力は直接的にレンガ壁に伝達する。この結果として、レンガ壁は地震によって加わる外力と同一方向の力を構造躯体から加えられて、その崩壊を早めることになる。
【００２９】
このように本発明は、従来技術として示した第１の関連技術および第２の関連技術と技術的な構成が明確に相違し、これによってレンガ壁の崩壊を効果的に抑止することができるという独自の効果を生じることになる。
【図面の簡単な説明】
【００３０】
【図１】本発明のレンガ壁支持構造のクレーム対応図である。
【図２】本発明のレンガ壁形成方法のクレーム対応図である。
【図３】本発明の実施の形態におけるレンガ壁支持構造について、その要部を示す斜視図である。
【図４】本実施の形態で伸縮防水シートをシート面と直交する方向で切断した際の端面図である。
【図５】本実施の形態の換気目地の構成を表わしたものであり、同図（Ａ）は換気目地の正面図、同図（Ｂ）は同図（Ａ）におけるＡ−Ａ方向に換気目地を切断した断面図である。
【図６】本実施の形態における換気筒の構成を表わした正面図である。
【図７】本実施の形態におけるレンガ壁を構成するレンガの斜視図である。
【図８】本実施の形態におけるウオールタイを示したものであり、同図（Ａ）は未使用時の平面図、同図（Ｂ）は折り曲げた状態の平面図である。
【図９】本実施の形態でウオールタイのネジ山の周辺を拡大して示した要部平面図である。
【図１０】本実施の形態で横一例に並んだレンガの上に載置される梯子筋を表わした平面図である。
【図１１】本実施の形態におけるレンガ壁が直角に折れ曲がるコーナ部分に配置した梯子筋を示した平面図である。
【図１２】本実施の形態のレンガ壁における１ユニットとしての単位領域のサイズを示した説明図である。
【図１３】本実施の形態における構造躯体とウオールタイの関係を示した説明図である。
【図１４】本実施の形態における構造躯体と梯子筋の関係を示した説明図である。
【図１５】本実施の形態でウオールタイの１つについてその配置される高さの位置までレンガ壁を積み上げたときに、この高さの位置で構造躯体を切断した状態を表わした一部断面図である。
【図１６】試験装置の要部を原理的に表わした説明図である。
【図１７】図１６に示した加力用桁を左右両方向に予め定めた長さずつ移動させる試験を行ったときの荷重の変化と見かけの剪断変形角の変化の関係を示した特性図である。
【図１８】ウオールタイをレンガ壁と構造躯体の連結に用いたレンガ壁支持構造における試験によって得られた荷重と剪断変形角の関係を示す特性図である。
【図１９】試験の結果から本実施の形態と同様のレンガ壁支持構造における構造躯体に加わる荷重を増加していったときの見かけの剪断変形角の変化の様子を表わした特性図である。
【図２０】試験装置の試験結果を用いて算出した特性値を表わした説明図である。
【図２１】試験装置の加力用桁を所定の長さだけ移動させて安全限界変位としての１／３０ｒａｄだけ変位させた状態での構造躯体およびウオールタイのそれぞれの位置を示した説明図である。
【図２２】構造躯体安全限界変位としての１／３０ｒａｄだけ変位した状態での試験装置における構造用合板の挙動を示した説明図である。
【図２３】構造躯体安全限界変位としての１／３０ｒａｄだけ変位した状態での試験装置におけるそれぞれのウオールタイの変形の様子を構造躯体、構造用合板およびレンガ壁のそれぞれの位置の変化として表わした説明図である。
【図２４】構造躯体が構造躯体安全限界変位としての１／３０ｒａｄだけ変位した状態での符号「ａ１」で示した箇所におけるウオールタイの変形の様子を示した斜視図である。
【図２５】図２４に示したウオールタイの変形の様子を表わしたものであり、同図（Ａ）は符号「ａ１」で示した箇所におけるウオールタイの存在する各位置で試験装置を水平に切断した状態を示す断面図、同図（Ｂ）は符号「ａ１」で示した箇所におけるウオールタイの存在する各位置で試験装置を垂直に切断した状態を示す断面図である。
【図２６】構造躯体が構造躯体安全限界変位としての１／３０ｒａｄだけ変位した状態での符号「ｃ１」で示した箇所におけるウオールタイの変形の様子を示した斜視図である。
【図２７】構造躯体が構造躯体安全限界変位としての１／３０ｒａｄだけ変位した状態での符号「ｅ１」で示した箇所におけるウオールタイの変形の様子を示した斜視図である。
【図２８】構造躯体が構造躯体安全限界変位としての１／３０ｒａｄだけ変位した状態での符号「ａ５」で示した箇所におけるウオールタイの変形の様子を示した斜視図である。
【図２９】構造躯体が構造躯体安全限界変位としての１／３０ｒａｄだけ変位した状態での符号「ｃ５」で示した箇所におけるウオールタイの変形の様子を示した斜視図である。
【図３０】構造躯体が構造躯体安全限界変位としての１／３０ｒａｄだけ変位した状態での符号「ｅ５」で示した箇所におけるウオールタイの変形の様子を示した斜視図である。
【図３１】構造躯体が構造躯体安全限界変位としての１／３０ｒａｄだけ変位した状態での符号「ａ９」で示した箇所におけるウオールタイの変形の様子を示した斜視図である。
【図３２】構造躯体が構造躯体安全限界変位としての１／３０ｒａｄだけ変位した状態での符号「ｃ９」で示した箇所におけるウオールタイの変形の様子を示した斜視図である。
【図３３】構造躯体が構造躯体安全限界変位としての１／３０ｒａｄだけ変位した状態での符号「ｅ９」で示した箇所におけるウオールタイの変形の様子を示した斜視図である。
【図３４】試験装置の試験結果を基にした本実施の形態の建築物におけるレンガ壁形成方法の概要を表わした流れ図である。
【図３５】発明者が先に提案したウオールタイとその使用例を原理的に示した斜視図である。
【発明を実施するための形態】
【００３１】
図１は、本発明のレンガ壁支持構造のクレーム対応図を示したものである。本発明のレンガ壁支持構造１０は、構造躯体１１と、構造強化用面材１２と、レンガ壁１３と、ウオールタイ１４を備えている。ここで、構造躯体１１は住宅の骨組みである。構造強化用面材１２は、構造躯体１１における前記した住宅の外部との境界面に対して釘によって固定される平板状の部材である。レンガ壁１３は、構造強化用面材１２を構成する面と所定の間隔を保つようにして前記した住宅の外部に配置され、目地を介して直方体をした化粧レンガを壁状に垂直方向および水平方向に複数配置してなる。ウオールタイ１４は、レンガ壁１３を垂直方向および水平方向に所定の長さからなる単位領域としてのユニットごとに架空的に分割したときの、これらのユニット単位で構造強化用面材１２の対応位置から、断面が円形をし一端部分を螺刻された１本の鋼材の前記した一端部分を螺入することでその部分を固定すると共に、その鋼材の他端部分をレンガ壁１３の前記した化粧レンガ同士が垂直方向に隣接して配置されるべき箇所に水平面内で折り曲げて配置して前記した目地と共に固定することで構造躯体１１とレンガ壁１３をユニット単位で支持する。
【００３２】
図２は、本発明のレンガ壁形成方法のクレーム対応図を示したものである。本発明のレンガ壁形成方法２０は、構造強化用面材固定ステップ２１と、ウオールタイ一端側剛接合ステップ２２と、ウオールタイ折り曲げステップ２３と、化粧レンガ積層ステップ２４と、ウオールタイ他端側剛接合ステップ２５と、レンガ壁形成ステップ２６を備えている。ここで、構造強化用面材固定ステップ２１では、住宅の骨組みとしての構造躯体における前記した住宅の外部との境界面に平板状の構造強化用面材を釘によって固定する。ウオールタイ一端側剛接合ステップ２２では、構造強化用面材固定ステップ２１で固定した前記した構造強化用面材に対して前記した基礎からの高さが予め定めた１ユニットの高さ単位で前記した化粧レンガが積み上げられるたびに予め定めた水平方向に間隔を置いて細長い鋼材からなるウオールタイの一端部分を貫通させ前記した構造躯体にねじ込むことで剛接合する。ウオールタイ折り曲げステップ２３では、ウオールタイ一端側剛接合ステップ２２で一端部分を構造躯体に剛接合した前記したウオールタイの他端側を水平面内で直角に折り曲げる。化粧レンガ積層ステップ２４では、前記した住宅の基礎に対して前記した構造強化用面材と所定の間隔を置いて化粧レンガを１段ずつ積層して所定サイズのレンガ壁を形成していく。ウオールタイ他端側剛接合ステップ２５では、化粧レンガ積層ステップ２４で前記した化粧レンガを１段ずつ積層していくとき、ウオールタイ一端側剛接合ステップ２２で前記した構造強化用面材に剛接合したウオールタイのいずれかが前記した化粧レンガの所定段における上面の高さに一致するようになったとき、該当するウオールタイにおけるウオールタイ折り曲げステップ２３で直角に折り曲げた前記した他端側を、この折り曲げにより生じた面がこれらの化粧レンガの前記した上面と平行になるように配置することで剛接合する。レンガ壁形成ステップ２５では、ウオールタイ他端側剛接合ステップ２４で前記した該当するウオールタイを化粧レンガの前記した上面と平行になるように配置した後、その上に目地を介して前記した化粧レンガの積層を開始することで予め定めた高さまで化粧レンガの積み上げと前記したウオールタイの剛接合を順次行ってレンガ壁を形成する。
【００３３】
＜発明の実施の形態＞
【００３４】
次に本発明の実施の形態を説明する。
【００３５】
図３は、本発明の実施の形態におけるレンガ壁支持構造の要部について、その外観を表わしたものである。鉄筋コンクリートからなる外周布基礎１０１の底盤１０１Ａの上には、ブチルゴムを素材とする伸縮防水シート１０２の一端近傍が直接配置されている。伸縮防水シート１０２の残りの部分は、外周布基礎１０１の外周に沿ってその断面がＬ字を描くように基礎天端１０１Ｂの方向に立ち上がっている。
【００３６】
図３で示す実施の形態では、底盤１０１Ａ上に配置した伸縮防水シート１０２の上にモルタル目地１０３を介して化粧レンガ１０４が積み上げられてレンガ壁１０５が構成されている。したがって、伸縮防水シート１０２の立ち上がり部分はレンガ壁１０５の後ろ側に接する形となっているので、図３には示されていない。本実施の形態で伸縮防水シート１０２の立ち上がり部分の頂点は、外周布基礎１０１の最上部としての基礎天端１０１Ｂの高さとほぼ一致している。
【００３７】
なお、Ｔ字を上下逆さに配置した断面構造を有する外周布基礎１０１の代わりに、図示しないベタ基礎の跳ね出しスラブの上に伸縮防水シート１０２が敷かれた配置も可能である。この場合には、伸縮防水シート１０２の上にレンガ壁１０５が配置されることになる。
【００３８】
図３ではレンガ壁１０５の背後に存在するために図示していないが、外周布基礎１０１の基礎天端１０１Ｂの上には、建築物本体の土台が配置されている。レンガ壁１０５を一部切り欠いて示したように、この土台の上には、建築物の構造躯体の一部を構成する間柱１０６が所定の間隔を置いて複数本立設されている。間柱１０６は、ウオールタイ１０７を固定するためのウオールタイ固定用間柱１０６Ａと、構造強化用面材としての構造用合板１０８を釘１０９で固定するための釘固定用間柱１０６Ｂの組から構成されている。
【００３９】
構造用合板１０８は、住宅の構造強化用として構造躯体の外部表面を覆う長方形をした板材であり、たとえば木材を１〜３ミリメートル程度に薄くした単板（ベニヤ）を直角にクロスして接着した板で構成されており、間柱１０６におけるレンガ壁１０５との対向面から釘１０９およびウオールタイ１０７で固定されている。本実施の形態で使用することのできる構造用合板１０８は、建築物の構造を強化する板材であればよく、たとえば木材を繊維方向に割った小片（チップ）を繊維方向を整えないで接着した板としての構造用パネルや、木材の細片（鋸屑状）を接着した板としてのパーチクルボードで構成することも可能である。木片をセメントで固めた板としての硬質木片セメント板や、木繊維を接着した板としてのフレキシブル板やＭＤＦ（Medium Density Fiberboard）は、本実施の形態で構造用合板１０８として使用するには適さない。
【００４０】
ウオールタイ１０７は、後に図示するようにその一端部分としてのネジが螺刻された部分を構造用合板１０８側から貫通させてウオールタイ固定用間柱１０６Ａにねじ込むことで固定している。ウオールタイ１０７の他端部分はＬ字状に折り曲げられて、化粧レンガ１０４の接合用のモルタル目地１０３の所定位置に埋設されることでレンガ壁１０５の内部に間隔を置いて固定されるようになっている。レンガ壁１０５内部におけるウオールタイ１０７のＬ字に折り曲げる箇所の位置は、図３で×印で示している。
【００４１】
ところでレンガ壁１０５は、それぞれの化粧レンガ１０４をモルタル目地１０３で接着して上下左右方向に整列して配置したもので構成されている。モルタル目地１０３は、本実施の形態ではポルトランドセメントＪＩＳ−Ｒ５２１０と、砂２．０ミリメートルを練った普通目地モルタルで構成されている。
【００４２】
レンガ壁１０５を構成する最下段としての第１段目のレンガ層１１１１には、通気兼水ぬき用途の換気目地１１２が１メートル以内に１カ所ずつの間隔で縦目地として配置されている。また、３段目のレンガ層１１１３には、適宜の間隔で化粧レンガ１０４と化粧レンガ１０４の間に、モルタル目地１０３で外周部分を覆う形で換気筒１１４が配置されている。換気筒１１４は化粧レンガ１０４の奥行と同等の長さの筒状部材で構成されており、建物基礎内部が必要な換気量を確保する役割を持っている。
【００４３】
本実施の形態では、４段目のレンガ層１１１４と５段目のレンガ層１１１５の間に、後に詳しく説明する梯子筋１１６と呼ばれる梯子状の部品が挟み込まれており、モルタル目地１０３中に固定されている。梯子筋１１６は化粧レンガ１０４が所望の段数だけ積層されるたびに、これらの層の間に水平方向に配置される。このようにして化粧レンガ１０４を垂直方向に積み上げていくことで、外周布基礎１０１よりも上の領域ではレンガ壁１０５と構造用合板１０８との間隔が、３０ミリメートルから４０ミリメートルに保たれるようになっており、この部分が通気層を形成することになる。
【００４４】
本実施の形態では、レンガ壁１０５の一部に窓ユニット１１７が組み込まれている。窓ユニット１１７は開閉式の窓ガラスを備えていてもよい。窓ユニット１１７の周囲には結露が生じやすいので、換気目地１１２が適宜配置されている。
【００４５】
以下の説明では、ウオールタイ１０７による間柱１０６等の構造躯体とレンガ壁１０５の連結状態を解析するために、レンガ壁１０５や構造用合板１０８を複数のユニット（単位領域）に仮想的に分割することにする。これらのユニットにはウオールタイ１０７が１本ずつ使用される。また、レンガ壁１０５の高さ方向における梯子筋１１６の配置間隔は、１ユニットの高さ方向の間隔と一致するように設定する。梯子筋１１６は、ウオールタイ１０７が、レンガ壁１０５をユニット単位で支持する働きを助けるようになっている。このレンガ壁支持構造についての説明に先立って、図３で示した各部品の詳細を説明することにする。
【００４６】
図４は、本実施の形態で伸縮防水シートをシート面と直交する方向で切断した際の構造を表わしたものである。伸縮防水シート１０４は、たとえば１．０ミリメートルの厚さのブチルゴム１２１の片面にオーバーレイ１２２として０．０５ミリメートルの厚さの樹脂を塗布したシート状部材である。ゴムおよびオーバーレイの材質および厚さには、各種の変形が可能である。
【００４７】
図５は、本実施の形態における換気目地の構成を表わしたものである。換気目地１１２は軟質樹脂の成形品であり、同図（Ａ）の正面図で示すようにその高さｈは図３に示した化粧レンガ１０４の高さと一致している。換気目地１１２は、天板部１３１と目地本体１３２から構成されたプラスチック製の部品である。天板部１３１は、図３に示した２個の化粧レンガ１０４を橋渡しする役割を有しており、目地本体１３２よりも幅広となっている。目地本体１３２には、高さ方向に所定の間隔を置いて複数の開口部１３３が配置されている。換気目地１１２はこれらの開口部１３３を通じて建物基礎内部の換気を行う。
【００４８】
図５（Ｂ）は、図５（Ａ）におけるＡ−Ａ方向に換気目地を切断した断面を示したものである。この断面図から分かるように換気目地１１２はその内部にＺ字形の折り返し片１３４を複数個上下方向に所定間隔を置いて整列配置したものである。折り返し片１３４により、遮光機能を保持したままで建物基礎内部の換気を行うことが可能になっている。折り返し片１３４は換気目地１１２の最下段に相当する場所には存在していない。これは、この最下段に相当する場所に開口部を確保して、レンガ壁１０５（図３参照）における水抜きを行うためである。
【００４９】
図６は、本実施の形態における換気筒の構成を表わしたものである。換気筒１１４は、正面図としての同図（Ａ）およびＢ−Ｂ方向の断面図としての同図（Ｂ）に示すように、塩化ビニール製の円筒１４１の一端面に防虫用のキャップ１４２を接着した構造となっている。キャップ１４２は、換気筒１１４の外側に面し、大径と小径の２つのリング部分を所定の段差部分で連結した形状の外側リング１４２Ａを備えている。外側リング１４２Ａの小径のリング部分で円筒１４１の内部側の面には、ステンレス製の網からなる全体として円形をした防虫網１４２Ｂの外周部分が接しており、内側リング１４２Ｃがこの防虫網１４２Ｂを小径のリング部分と挟持するようにして前記した段差部分と嵌合している。
【００５０】
防虫網１４２Ｂは、図面の作成の都合上でその網目の間隔を実際よりも大きく描いている。防虫網１４２Ｂの網目は、たとえば１センチメートル当たり約７本の密度で形成されており、シロアリ等の有害な微小生物がレンガ壁１０５を通過するのを阻止すると共に、図３で説明したレンガ壁１０５と構造用合板１０８の間の通気層の換気を行うようになっている。
【００５１】
本実施の形態の換気筒１１４は、その長さが６０〜７８．５ミリメートルで、筒の部分の直径が６０〜１１３ミリメートルのサイズとなっている。換気筒１１４における防虫網１４２Ｂの換気に有効となる円形部分の面積は、１５９０〜６３００平方ミリメートルとなっている。
【００５２】
図７は、本実施の形態におけるレンガ壁を構成するレンガを斜め上方から見たものである。本実施の形態で使用する化粧レンガ１０４は、長さが１９０〜２３５ミリメートル、幅が６０〜１１３ミリメートル、厚さが６０〜７８．５ミリメートルの直方体となっている。この化粧レンガ１０４には、穴１５１が２列に合計１０個貫通している。もちろん、穴１５１のサイズや個数は実施の形態に限定されない。一般には穴１５１の数が多いほど化粧レンガ１０４がその内部まで良好に焼成される。
【００５３】
本実施の形態で使用する化粧レンガ１０４はＪＩＳ  Ｒ１２５０に準じており、区分はａ種、吸水率は２０パーセント以下となっている。また、圧縮強度は１５Ｎ／平方ミリメートル以上である。化粧レンガ１０４の接合に使用するモルタル目地１０３（図３参照）は、９〜１２ミリメートルの厚さのモルタルを使用する。
【００５４】
化粧レンガ１０４は、たとえばカナダサーマスマウンテン産粘土を焼成して製造することができる。一例として、化粧レンガ１０４はビーハイブキルン（beehive kiln）を用いて粘土を最大１１００度Ｃの温度で少なくとも６日間焼成する。
【００５５】
図８は、本実施の形態におけるウオールタイの平面図を表わしたものである。同図（Ａ）に示すようにウオールタイ１０７は、直径４〜５ミリメートルのステンレス丸鋼からなり、先端からたとえば３８ミリメートルの長さの位置までネジ部分１０７Ａが刻まれている。ウオールタイ１０７の鋼種としては、たとえばＳＵＳ（Steel Use Stainless）３０４ＡまたはＳＵＳ３１６Ａを使用することができるが、これらに限るものではない。
【００５６】
ウオールタイ１０７のネジ部分１０７Ａは、図３に示した構造用合板１０８を貫通してウオールタイ固定用間柱１０６Ａの内部にねじ込まれるようになっている。ウオールタイ１０７の一端をウオールタイ固定用間柱１０６Ａに固定する作業が終了した時点で、ウオールタイ１０７はその他端から１０５ミリメートルの長さの位置で直角に折り曲げられる。
【００５７】
図８（Ｂ）は、折り曲げられた状態のウオールタイ１０７の形状を表わしたものである。ウオールタイ１０７の他端部分１０７Ｂは、図３にも示したように化粧レンガ１０４同士の接合箇所に配置され、レンガ壁１０５に固定されるようになっている。
【００５８】
図９は、このウオールタイの先端部分を拡大して表わしたものである。ウオールタイ１０７のネジ部分１０７Ａの先端部分１０７ＡＡは、曲げ剪断に強い構造とするために先細のテーパ形状となっている。このテーパ形状は、ウオールタイ１０７のねじ込み作業を容易にする。ネジ部分１０７Ａの残りの部分の山の直径は、ステンレス丸鋼の直径よりもわずかに大径となっている。
【００５９】
なお、ウオールタイ１０７を図９の拡大図以外の大きさで示した図８（Ａ）、（Ｂ）ならびにそれ以外の図では、ネジ部分１０７Ａを実際の形状で表わしておらず、省略図法で簡略的に示している。
【００６０】
図１０は、横一例に並んだレンガの上に載置される部品としての梯子筋の平面図を表わしたものである。本実施の形態の梯子筋１１６は、直径が４〜５ミリメートルの２本の棒状の丸鋼１７１、１７２を５８ミリメートルの間隔で縦木として平行に配置すると共に、この方向と直交する方向に適宜の間隔を置いて、丸鋼１７３を横木として丸鋼１７１、１７２に連結した構造となっている。丸鋼１７３の太さは丸鋼１７１、１７２の太さと同一である。丸鋼１７１、１７２には、それらの長さ方向と直交する方向に所定の間隔を置いて筋状の凹凸が表面に施されている。これは、後に説明するモルタル目地内で梯子筋１１６が移動しようとするとき、これを抑制するための工夫である。
【００６１】
図１１は、レンガ壁が直角に折れ曲がるコーナ部分に配置する梯子筋の平面図を表わしたものである。このコーナ部分に配置する梯子筋１１６Ａの場合には、たとえば直径が４ミリメートルの２本の丸鋼１７４、１７５をコーナ部分で直交するように接合している。他の丸鋼１７６はコーナ部分で円弧の一部を成すように湾曲しており、これ以外の箇所ではステンレス丸鋼１７４、１７５と５８ミリメートルの間隔を保っている。
【００６２】
図３に示した４段目のレンガ層１１１４の上部には、図１０あるいは図１１に示した形状の梯子筋１１６、１１６Ａのいずれかが配置されることになる。梯子筋１１６、１１６Ａが配置された箇所では、高強度セメントＪＩＳ−Ｒ５２１３を１．１８ミリメートル以下の細砂で練った高強度モルタルをモルタル目地１０３として使用して化粧レンガ１０４を定着する。高強度モルタルは、４段目のレンガ層１１１４よりも上のモルタル目地１０３にも使用する。
【００６３】
図１２は、本実施の形態のレンガ壁における各単位領域としてのユニットを説明するためのものである。この図では、説明を簡略にするために、図３に示した換気目地１１２、換気筒１１４および窓ユニット１１７の図示を省略している。また、レンガ壁１０５を構成するそれぞれの化粧レンガ１０４は、同一のサイズのものと仮定している。
【００６４】
本実施の形態のレンガ壁支持構造では、縦方向の二点鎖線１８１および横方向の二点鎖線１８２でレンガ壁１０５を、それぞれ矩形をした複数のユニット１８３に仮想的に分割している。図１２では、分かりやすくするためにユニット１８３の１つのみ、ハッチングを付けて表わしている。
【００６５】
それぞれのユニット１８３を構成する所定の段の化粧レンガ１０４の上面とその１段上の化粧レンガ１０４の下面の間には、梯子筋１１６がモルタル目地１０３の中に埋設されている。また、それぞれのユニット１８３を構成する他の所定の段の上面とその１段上の化粧レンガ１０４の下面の間で、図３におけるウオールタイ固定用間柱１０６Ａに対応する位置にはウオールタイ１０７の他端部分１０７Ｂ(図８（Ｂ）参照)が配置されている。図１２に示した×印１８４は、ウオールタイ１０７がウオールタイ固定用間柱１０６Ａに固定された位置を参考的に示したものである。
【００６６】
本実施の形態でそれぞれのユニット１８３のサイズは、レンガ壁１０５を構成する化粧レンガ１０４が水平に連なる方向（以下、横方向という。）に長さＵＷで、レンガ壁１０５の高さ方向としての縦方向に長さＵＨの長方形である。ここで長さＵＷは、図３に示す間柱１０６の間隔としての３６０〜５００ミリメートルである。また、長さＵＨは、一例として化粧レンガ１０４の４段に相当する３００〜３６０ミリメートルである。
【００６７】
このようにレンガ壁１０５における１ユニットは、本実施の形態では図１２で二点鎖線１８１、１８２で区分けされた０．１８平方メートルあるいはこれ以下の面積からなる化粧レンガ１０４の集合体からなっている。これは、本実施の形態の場合には、１本のウオールタイ１０７に最大で０．１８平方メートルの面積に相当する化粧レンガ１０４の集合体による重力や地震等の力が作用したとき、このウオールタイ１０７がこれらの化粧レンガ１０４を降伏点に到達することなく弾性的に支持することができることを意味する。１ユニットの範囲をどのようにして設定するかは、後に説明する。
【００６８】
図１３は、本実施の形態における構造躯体とウオールタイの関係を示したものである。図８および図１２と共に説明する。
【００６９】
図１３では、梯子筋１１６（図８）がレンガ壁１０５に配置される高さの位置で、間柱１０６とこれに取り付けられた構造用合板１０８を水平方向に切断した状態を原理的に表わしている。レンガ壁１０５は、一点鎖線で参考的に示している。レンガ壁１０５の厚さは、一例として９０ミリメートルとなっている。
【００７０】
図１３に示した例の場合、間柱１０６同士の横方向の間隔ＵＷは５００ミリメートルであり、これは構造用合板１０８における１ユニットを構成する水平方向の長さと等しい。ウオールタイ１０７はその一端に位置するネジ部分１０７Ａを構造用合板１０８の該当位置からねじ込んで、ウオールタイ固定用間柱１０６Ａの内部に螺入させる。これにより、構造用合板１０８をそれぞれのウオールタイ固定用間柱１０６Ａの存在する位置に固定する。このとき、ウオールタイ１０７は図８（Ａ）に示した状態にあり、他端部分１０７Ｂが同図（Ｂ）に示すようなＬ字の形状に折り曲げられる前の直線形状となっている。ネジ部分１０７Ａはウオールタイ固定用間柱１０６Ａの内部に完全にねじ込む。ねじ込みを更に行って、ネジを切っていないステンレス丸鋼の予め定めた長さをウオールタイ固定用間柱１０６Ａの内部に入れ込むようにしてもよい。
【００７１】
図８（Ａ）に示す直線形状のウオールタイ１０７の一端をウオールタイ固定用間柱１０６Ａにこのようにして固定したとき、レンガ壁１０５を構成する化粧レンガ１０４の積層中の最上段は、ウオールタイ１０７の現在の高さ方向の位置よりも所定の長さ以上低い位置にある。そこで、他端部分１０７Ｂが水平面内に納まるようにこの部分を図８（Ｂ）に示すようにＬ字状に折り曲げる。次に、この他端部分１０７Ｂの存在する位置が化粧レンガ１０４の上面と同一あるいはこれよりもわずかに下となる位置まで新たに化粧レンガ１０４を積層する。そして、ウオールタイ１０７のＬ字の形状に折り曲げられたこの他端部分１０７Ｂを埋設させるように普通目地モルタルを化粧レンガ１０４の上面に敷いて、その上に化粧レンガ１０４を更に積層する。これによりウオールタイ１０７のＬ字の形状に折り曲げられた他端部分１０７Ｂがレンガ壁１０５内に固定される。
【００７２】
図１４は、本実施の形態における構造躯体と梯子筋の関係を示したものである。図１４で図１３と同一部分には同一の符号を付しており、これらの説明を適宜省略する。図８、図１１および図１２と共に説明する。
【００７３】
図１４に示した例は、図１２でレンガ壁１０５を構成する化粧レンガ１０４を梯子筋１１６の配置される高さの位置で横方向（水平方向）に切断した状態を示したものとなる。レンガ壁１０５は、一点鎖線で参考的に示している。図１１に示したステンレス丸鋼１７３の横木の配置間隔ＲＤは、この例で３８０ミリメートルとなっている。
【００７４】
図１５は、ウオールタイの１つについてその配置される高さの位置までレンガ壁を積み上げたときに、この高さの位置で構造躯体を切断した状態を表わしたものである。レンガ壁１０５の上部には、所定の厚さでモルタル目地１０３が塗り付けられている。釘固定用間柱１０６Ｂにおけるレンガ壁１０５と対向する面には、構造用合板１０８が釘１０９で固定されている。また、釘固定用間柱１０６Ｂに隣接して配置されるウオールタイ固定用間柱１０６Ａには、予めウオールタイ１０７のネジ部分１０７Ａがねじ込まれて固定されている。ウオールタイ１０７は、ウオールタイ固定用間柱１０６Ａに固定した後に他端部分１０７Ｂを直角に折り曲げており、この他端部分１０７Ｂがモルタル目地１０３に塗り込まれて図示しない化粧レンガ１０４を積み上げることでレンガ壁１０５に固定されることになる。
【００７５】
このようにウオールタイ１０７は、そのネジ部分１０７Ａがウオールタイ固定用間柱１０６Ａにねじ込まれることで一端側が構造躯体側に剛接合され、また他端部分１０７Ｂはレンガ壁１０５の内部で剛接合される。ウオールタイ１０７は、既に説明したようにステンレス丸鋼から構成されているので、バネ１９１としての特性を有している。バネ１９１としての特性は、レンガ壁１０５と構造用合板１０８の間の空間としての通気層１９２の領域で最も発揮するが、後に試験結果としても説明するようにその他の領域でも発揮することになる。
【００７６】
以上説明したようにして構造用合板１０８はユニット単位で定める位置をウオールタイ１０７が貫通し、これらの一端に位置するネジ部分１０７Ａの部分は構造躯体としてのウオールタイ固定用間柱１０６Ａに固定される。ただし、釘固定用間柱１０６Ｂはウオールタイ固定用間柱１０６Ａと隣接して配置されるので、実際の施工の現場では固定位置に多少の誤差が生じ、ウオールタイ１０７の一端部分が釘固定用間柱１０６Ｂに固定されることもあり、その逆の場合もある。ウオールタイ１０７の他端部分１０７Ｂはレンガ壁１０５の対応する位置にユニット単位で固定される。梯子筋１１６もレンガ壁１０５にユニット単位で定める高さを単位として配置される。
【００７７】
ここで本実施の形態の場合にウオールタイ１０７は、バネ１９１としての特性を有するので、所定内の外力の作用で可逆的な変位を行い、外力を除去すると短時間に元の形状に復帰する。所定以上の外力が加わると、降伏点に到達するまでは元の形状に復帰するように形状を時間と共に変化させるが、時間の経過に対する変化の度合いは小さくなる。降伏点に到達して塑性変形が生じると、たとえば破断等によってウオールタイ１０７は弾性が失われた状態となる。
【００７８】
本実施の形態では、ウオールタイ１０７の１本１本が複数の化粧レンガ１０４をユニット単位で分担している。これにより、ウオールタイ１０７が降伏点に未到達の外力を受けている場合には、構造用合板１０８におけるその貫通箇所を基点として、レンガ壁１０５をユニット単位で空間に弾性的に支持することになる。この結果として、レンガ壁１０５に対して局部的に過大な変形力が及ぼされる事態が防止あるいは軽減されることになり、レンガ壁１０５の崩壊が効果的に抑止されることになる。
【００７９】
本実施の形態のレンガ壁支持構造によれば、仮に住宅に所定以上の外力が加わってウオールタイ１０７が短時間に元の形状に復帰できない状態でも、降伏点に未到達であれば元の形状に戻ろうとするウオールタイ１０７自体の復元力は残存している。このため、地震等の外力の作用でレンガ壁１０５がユニット単位で変形し、変形の方向や量がユニットごとに相違することを原因としてレンガ壁１０５の表面と構造用合板１０８との間隔にユニット単位での距離の相違が生じたとしても、時間の経過によってこの距離の相違が軽減する。この結果、レンガ壁１０５の表面におけるユニット単位での凹凸は外力の作用した直後よりも、これ以後の時間の経過と共に目立たなくなる。ウオールタイ１０７自体の復元力と共に、間柱１０６内部における時間の経過によるその先端部分の微妙な位置の移動や、他端部分１０７Ｂのモルタル目地１０３内での時間の経過による同様な位置の微妙な移動も、この効果を助長する。
【００８０】
以下、地震や強風等の外力が作用した場合における本実施の形態のレンガ壁支持構造を理解するために、試験用にレンガ壁と構造躯体および構造用合板を用意し、これらに本実施の形態で使用するウオールタイを取り付けた試験結果を説明する。ここでは、幅１．８１メートル、高さ２．４６メートルのレンガ壁を試験用の外壁として用意し、構造躯体に構造用合板を釘によって固定した枠組み壁工法の耐力壁について面内剪断試験を行うことで、レンガ壁の変形と損傷の程度を実験的に確認する。
【００８１】
図１６は、試験装置の要部を原理的に表わしたものである。この試験装置では、土台２０１の上にレンガ壁および構造躯体の下部を固定して、加力用桁で構造躯体を前記した横方向に往復動させることにしている。図１６ではレンガ壁の図示は省略している。図３に示した土台１０２に対応する試験用の土台２０１には、５組の試験用間柱２０２１〜２０２５のそれぞれの底部が横方向に所定の間隔を置いて取り付けられている。これらの試験用間柱２０２１〜２０２５は、図３に示すウオールタイ固定用間柱１０６Ａおよび釘固定用間柱１０６Ｂにそれぞれ対応している。試験用間柱２０２１〜２０２５のそれぞれの頂部は、加力用桁２０３の底部に取り付けられた上枠２０４に固定されている。
【００８２】
なお、加力用桁２０３と上枠２０４の間には、頭つなぎ等の他の部材が存在してもよい。また、土台２０１と５組の試験用間柱２０２１〜２０２５の間には、下枠が配置される構造となっていてもよい。
【００８３】
５組の試験用間柱２０２１〜２０２５における図示しないレンガ壁と対向する面には、２枚の構造用合板２０６１、２０６２が図示しない釘によって左右に隣接する形で固定されている。加力用桁２０３は、試験時に図示しない駆動源によって矢印２０７で示す左右両方向に予め定めた長さずつ移動できるようになっており、５組の試験用間柱２０２１〜２０２５が移動方向と移動量に応じて傾斜することになる。図１６に示した試験開始前の状態では、加力用桁２０３が左右いずれの方向にも移動していない。このため試験用間柱２０２１〜２０２５はこの状態で土台２０１の上に垂直に配置されている。
【００８４】
図で符号「ａ１」から「ｅ９」で示した×印２１１の中心位置は、横方向に並んだ２枚の構造用合板２０６１、２０６２を介して図３にも示したウオールタイ１０７の一端がこれらの試験用間柱２０２１〜２０２５の内部にねじ込まれた場所を表わしている。これら×印２１１で示す位置は、構造躯体に何らの外力も加わっていない初期状態での図３で×印で示したウオールタイ１０７の位置に相当するものである。
【００８５】
図１６では構造躯体自体に地震や強風による力が何ら加わっておらず、その変位角が０の状態を示している。図で×印２１１の位置が試験用間柱２０２１〜２０２５の表面で多少ばらついて示されているのは、構造用合板２０６１、２０６２を介してウオールタイ１０７を試験用間柱２０２１〜２０２５に固定したときの作業上で生じる位置誤差のためである。
【００８６】
以下、２枚の構造用合板２０６１、２０６２は外力を受けてもそれぞれの矩形形状を保持しており、菱形に変形しないとの前提で説明を行う。また、この前提では試験用間柱２０２１〜２０２５等の構造躯体が地震等の外力で変形しても、構造用合板２０６１、２０６２におけるウオールタイ１０７の各貫通位置がずれるものではないものとする。
【００８７】
図１７は、図１６に示した加力用桁を前記した駆動源によって左右両方向に予め定めた長さずつ移動させる試験を行ったときの荷重の変化と、見かけの剪断変形角の変化の関係を示したものである。図１６と共に説明する。
【００８８】
この試験では、加力用桁２０３を図１６に示した荷重ゼロの試験開始状態から矢印２０７における一方の方向に第１段階の長さだけ移動させ、特性図のＰ１点で示すように変位角が３００分の１ｒａｄ（ラジアン）（約３×１０−３ｒａｄ）となる荷重を構造躯体の上部に加える。この第１段階の加力用桁２０３の移動では、構造躯体に加わる荷重は比較的小さい。
【００８９】
次に、加力用桁２０３を荷重ゼロの試験開始状態の位置まで戻して、所定回数だけ第１段階の長さだけ移動させる試験を繰り返す。このようにして第１段階の長さの移動による試験が終了したら、今度は加力用桁２０３を荷重ゼロの試験開始状態の位置まで戻して、第１段階の長さよりも長い所定量の長さだけ加力用桁２０３を同方向に移動させて、この特性図のＰ２点で示すように変位角が２００分の１ｒａｄ（ラジアン）（約５×１０−３ｒａｄ）となる荷重を構造躯体の上部に加える。これにより、構造躯体に加わる荷重は１段階だけ増加する。この第２段階の移動（往復動）を所定回数だけ行って、第２段階での試験を終了させる。
【００９０】
以下同様にして、加力用桁２０３を同方向に移動させる長さを段階的に増加させながら、この方向における荷重と見かけの剪断変形角を求める。また、これと同様の手法を用いて荷重ゼロの試験開始状態の位置から加力用桁２０３を逆方向に段階的に移動させて、逆方向における荷重と見かけの剪断変形角を求める。
【００９１】
図１８は、ウオールタイをレンガ壁と構造躯体の連結に用いたレンガ壁支持構造における以上の試験によって得られた荷重と剪断変形角の関係を示す特性図である。
【００９２】
また、図１９は、以上の試験から本実施の形態と同様のレンガ壁支持構造における構造躯体に加わる荷重を増加していったときの見かけの剪断変形角の変化の様子を表わした特性図である。この図１９に示す特性図で太線は、荷重−変形曲線包絡線２２１を表わしている。この荷重−変形曲線包絡線２２１を使用して、完全弾塑性モデルにより降伏耐力等の特性値を以下の工程で算出する。
【００９３】
（ａ）荷重−変形曲線包絡線２２１上の０．１Ｐｍａｘと０．４Ｐｍａｘを結ぶ線分を第１の直線２３１とする。
（ｂ）荷重−変形曲線包絡線２２１上の０．４Ｐｍａｘと０．９Ｐｍａｘを結ぶ線分を第２の直線２３２とする。
（ｃ）第２の直線２３２を荷重−変形曲線包絡線２２１に接するまで平行移動し、この線分を第３の直線２３３とする。
（ｄ）第１の直線２３１と第３の直線２３３との交点の荷重を降伏耐力（Ｐｙ）とし、この点からＸ軸に平行な線分（破線）を第４の直線２３４とする。
（ｅ）第４の直線２３４と荷重−変形曲線包絡線２２１との交点の変位を降伏変位（δｙ）とする。
（ｆ）原点（０，０）と交点（δｙ，Ｐｙ）を結ぶ線分を第５の直線２３５として、これを初期剛性（Ｋ）とする。
（ｇ）加力停止時の荷重−変形曲線包絡線２２１上の変位を終局変位（δｕ）とする。
（ｈ）荷重−変形曲線包絡線２２１、Ｘ軸およびδｕで囲まれる面積をＳとする。
（ｉ）第５の直線２３５、Ｘ軸、δｕおよびＸ軸と平行な直線で囲まれる台形の面積がＳと等しくなるようなＸ軸に平行な線分（破線）を第６の直線２３６とする。
（ｊ）第５の直線２３５と第６の直線２３６との交点２３８の荷重を完全弾塑性モデルの終局耐力（Ｐｕ）とし、その交点２３８の変位を完全弾塑性モデルの降伏点変位（δｖ）とする。
（ｋ）塑性率（靭性率）μは、μ＝（δｕ／δｖ）で算出する。
【００９４】
図２０は、以上説明した試験装置の試験結果を用いて算出した特性値を表わしたものである。図１６で説明した加力用桁２０３を用いて加力を段階的に増加する試験は、図１９に示す荷重−変形曲線包絡線２２１で安全限界変位角における見かけの剪断変形角が１／３０ｒａｄで停止させた。この結果として、終局変形角は１／３０ｒａｄとなった。この終局変形角は、地震等の外力に対する構造躯体の本来的な耐力保持限界あるいは倒壊限界に到達する前の所定の安全率を見込んだ角度である。
【００９５】
また、終局変形角が１／３０ｒａｄになるということは、通常想定される地震等の外力よりも大きな外力が構造躯体に作用していることを意味する。したがって、かなり大きな地震等の外力が本発明の実施の形態の建築物に加わったとしても、レンガ壁１０５はユニット単位に配置されたウオールタイ１０７によって弾性的に支持されたことになり、かつ外力が除去された状態で元のレンガ壁１０５の状態に復帰する復元力を保持していることになる。
【００９６】
図２１は、試験装置の加力用桁を所定の長さだけ移動させて安全限界変位としての１／３０ｒａｄだけ変位させた状態での構造躯体およびウオールタイのそれぞれの位置を示したものである。図２１で図１６と同一部分には同一の符号を付している。
【００９７】
この図２１では、加力用桁２０３が試験開始前の初期位置から矢印２０７Ａ方向に所定量移動することで、構造躯体が終局変形角としての１／３０ｒａｄに達している。符号「ａ１」から「ｅ９」で示した×印２２１の中心位置は、５組の試験用間柱２０２１〜２０２５に図８に示すウオールタイのネジ部分１０７Ａがねじ込まれた位置を示す。図１６の×印２１１の中心位置と対比すると、×印２２１の中心位置は５組の試験用間柱２０２１〜２０２５が垂直方向の参照線２５１から傾斜するのに伴って変化している。
【００９８】
図２２は、構造躯体安全限界変位としての１／３０ｒａｄだけ変位した状態での試験装置における構造用合板の挙動を示したものである。図２２で図１６あるいは図２１と同一部分には同一の符号を付している。
【００９９】
図２１に示したように加力用桁２０３が試験開始前の初期位置から矢印２０７Ａ方向に所定量移動すると、図２２で破線で示した構造躯体２０２（図２１における５組の試験用間柱２０２１〜２０２５）の図２１に示した変形（傾斜）に伴って、２枚の構造用合板２０６１、２０６２は実線で示すように反時計方向にわずかに回転する。２枚の構造用合板２０６１、２０６２は実施の形態で説明した構造用合板１０８１、１０８２と同様に矩形の形状を保持しており、菱形に変形しない。そこで構造躯体２０２の各所の変形を平均する形で、２枚の構造用合板２０６１、２０６２は反時計方向に回転するようにこれらの位置を移動させることになる。
【０１００】
図２２で符号「ａ１」から「ｅ９」で示した×印２４１の中心位置は、構造用合板２０６１、２０６２上でのウオールタイ１０７のねじ込まれた各点を示す。これら構造用合板２０６１、２０６２は、図２１における５組の試験用間柱２０２１〜２０２５に釘で固定されている。このため図２１で示した×印２１１の中心位置と図２２で示した×印２４１の中心位置は近接しているが、ウオールタイ１０７自体に何らかの変形が生じていれば変形の方向および程度に応じて両者の位置に微妙な違いが生じることになる。
【０１０１】
すなわち、加力用桁２０３が移動して構造躯体２０２を構成する試験用間柱２０２１〜２０２５が変形すると、図２１の×印２２１で示すようにウオールタイ１０７のそれぞれの一端は符号「ａ１」から「ｅ９」に示す各位置に応じた位置変動を生じさせる。この一方で、２枚の構造用合板２０６１、２０６２は構造躯体２０２の変形に伴って全体的にその位置を変動させるものの、ウオールタイ１０７それぞれの貫通点（×印２４１の中心位置）の相対的な位置は変動しない。
【０１０２】
図２３は、構造躯体安全限界変位としての１／３０ｒａｄだけ変位した状態での試験装置におけるそれぞれのウオールタイの変形の様子を構造躯体、構造用合板およびレンガ壁のそれぞれの位置の変化として表わしたものである。これらの位置の変化は、構造用合板の平面と垂直な方向から図８（Ｂ）に示す他端部分１０７Ｂを除いたウオールタイ１０７の残りの部分を、２枚の構造用合板２０６１、２０６２上に投影したものとして示している。
【０１０３】
ただし、幅１．８１メートル、高さ２．４６メートルのレンガ壁を１ページの図面に縮小して表わすとき、ウオールタイ１０７の変形の様子をこれに応じた縮小率で明確に図示するのは困難である。そこで、図２３では構造躯体（５組の試験用間柱２０２１〜２０２５）２０２の表面位置におけるウオールタイ１０７（図８参照）の位置を座標位置の起点として、５倍に拡大して変形の様子を図示している。ここで実線２６１は、符号「ａ１」から「ｅ９」で示した各ウオールタイ１０７における構造躯体２０２の表面位置から構造用合板２０６１、２０６２までの位置変化を示している。また、破線２６２は、各ウオールタイ１０７における構造用合板２０６１、２０６２から図示しないレンガ壁１０５までの位置変化を示している。
【０１０４】
図２４および図２５は、構造躯体が構造躯体安全限界変位としての１／３０ｒａｄだけ変位した状態での符号「ａ１」で示した箇所におけるウオールタイの変形の様子を示したものである。ここで図２４は、図２３における符号「ａ１」の位置におけるウオールタイ１０７の変形の様子を試験装置の斜め上方から見下ろす形で表わしたものである。図２４で、構造躯体２０２、構造用合板２０６（あるいは構造用合板２０６１）および化粧レンガ１０４からなるレンガ壁１０５は、ウオールタイ１０７が固定あるいは通過する位置で水平に切り取った形でこれらの外形のみを破線で示している。また、図２５（Ａ）は符号「ａ１」で示した箇所におけるウオールタイ１０７の存在する各位置で試験装置を水平に切断した状態での上から見た図であり、図２５（Ｂ）は符号「ａ１」で示した箇所におけるウオールタイ１０７の存在する各位置で試験装置を垂直に切断した状態での横から見た図である。
【０１０５】
図２５（Ａ）で示すようにウオールタイ１０７のネジ部分１０７Ａは構造躯体２０２を構成する試験用間柱２０２１にねじ込まれている。ウオールタイ１０７は図２５（Ａ）に示すように矢印２０７Ａ方向（図２３参照。）とは逆方向で、かつ図２５（Ｂ）に示すように試験用間柱２０２１の下方向に変形して構造用合板２０６１の貫通位置に至る。これは、図２３の符号「ａ１」の位置における実線２６１で示される。ウオールタイ１０７は、構造用合板２０６１の貫通位置から図２５（Ａ）に示すように矢印２０７Ａ方向にはほとんど変位せずに、かつ図２５（Ｂ）に示すように試験用間柱２０２１の下方向に更に変形して構造用合板２０６１の貫通位置に至る。これは、図２３の符号「ａ１」の位置における破線２６２で示される。
【０１０６】
図２６は、構造躯体が構造躯体安全限界変位としての１／３０ｒａｄだけ変位した状態での符号「ｃ１」で示した箇所におけるウオールタイの変形の様子を試験装置の斜め上方から見下ろす形で表わしたものである。図２４と同一部分には同一の符号を付している。この図でウオールタイ１０７のネジ部分１０７Ａは構造躯体２０２を構成する試験用間柱２０２３（図２１参照）にねじ込まれている。ウオールタイ１０７は図２３の符号「ｃ１」の位置における実線２６１で示すように上方に変形して構造用合板２０６（あるいは構造用合板２０６２）を通過し、その後は破線２６２で示すように通気層中を下方に変形してレンガ壁１０５の該当する固定位置で固定されている。
【０１０７】
図２７は、図２３における符号「ｅ１」の位置におけるウオールタイ１０７の変形の様子を表わしている。また、図２８は図２３における符号「ａ５」の位置におけるウオールタイ１０７の変形の様子を表わし、図２９は図２３における符号「ｃ５」の位置におけるウオールタイ１０７の変形の様子を表わし、図３０は図２３における符号「ｅ５」の位置におけるウオールタイ１０７の変形の様子を表わしている。更に、図３１は図２３における符号「ａ９」の位置におけるウオールタイ１０７の変形の様子を表わし、図３２は図２３における符号「ｃ９」の位置におけるウオールタイ１０７の変形の様子を表わし、図３３は図２３における符号「ｅ９」の位置におけるウオールタイ１０７の変形の様子を表わしている。これら各図についての説明の詳細は省略する。
【０１０８】
以上、図２４〜図３３および図２５で補足する形で説明したように、ウオールタイ１０７は、図２３における２枚の構造用合板２０６１、２０６２の作用によって、これらの貫通箇所を中間点として「く」字状あるいは「へ」字状に変形する。これらのウオールタイ１０７の変形の程度は、それぞれの構造用合板２０６１、２０６２の長方形をした平面領域の中央位置よりもやや上方の位置で最小となり、周辺に近づくにつれて変形の度合いが増す傾向がある。また、前記した中央位置を中心として点対称となるように変形の向きおよび量が決まる傾向もある。たとえば符号「ａ１」の位置と符号「ｃ９」の位置ではウオールタイ１０７の変形の方向がほぼ逆となっている。
【０１０９】
更に、図２３に示した加力用桁２０３を試験開始前の初期位置から矢印２０７Ａ方向と反対方向に移動させた場合、ウオールタイ１０７は加力用桁２０３を矢印２０７Ａ方向に移動させた場合と逆の変位を生じる。これについては、以上提示した図と逆の図となるので、図示および説明は省略する。
【０１１０】
このように本実施の形態では、レンガ壁の所定のユニット単位にウオールタイ１０７を１本ずつ使用することで、構造躯体が安全限界変位としての１／３０ｒａｄに到達してもウオールタイ１０７自体は降伏点に未到達の状態にあり、図１５で示したバネ１９１としての特性を残存する。したがって、この状態で、ウオールタイ１０７のそれぞれはレンガ壁１０５をユニットごとに弾性的に支持していることになり、崩壊を効果的に阻止することができる。また、ウオールタイ１０７のバネ１９１としての特性の残存によって、時間の経過と共にレンガ壁１０５を構成する化粧レンガ１０４にはこれらの変位を打ち消す方向の力が作用することになる。この結果として、ウオールタイ１０７のそれぞれの変形の度合いの相違に基づくレンガ壁１０５の表面の凹凸は、時間の経過と共に次第に目立たなくなることになる。
【０１１１】
図３４は、以上説明した試験装置の試験結果を基にした本実施の形態の建築物におけるレンガ壁形成方法の概要を表わしたものである。ここでは、説明を簡略にするために、図３に示した窓ユニット１１７およびこの周辺に配置した換気目地１１２が存在しないものとして説明する。図３および図１２と共に説明する。
【０１１２】
まず、レンガ壁１０５を使用する住宅の間柱等の所定の部材の表面に構造用合板１０８を釘１０９で固定（ピン接合）する（ステップＳ３０１）。次に、この住宅の外側に使用するレンガ壁を構成する化粧レンガ１０４、ウオールタイ１０７等の構成部品の選定を行う（ステップＳ３０２）。たとえばウオールタイ１０７は、その材質や直径および通気層１９２（図１５参照）の厚さを考慮して選定する。
【０１１３】
次に、化粧レンガ１０４のサイズやウオールタイ１０７の特性ならびに想定する外力の最大値を考慮して、図１２で説明したユニット１８３のサイズを決定する（ステップＳ３０３）。この後、外周布基礎１０１等の基礎の該当個所に伸縮防水シート１０２等の防水シートを配置する（ステップＳ３０４）。地域や環境条件によっては防水シートの配置を省略することができる。
【０１１４】
防水シートの上にモルタル目地１０３を置いて、化粧レンガ１０４と換気目地１１２を用いて第１段目のレンガ層１１１１を形成する（ステップＳ３０５）。換気目地１１２は予め定めた間隔で化粧レンガ１０４とその横の化粧レンガ１０４の間に配置し、必要に応じて隙間にモルタル目地１０３を配置する。続いて、換気筒１１４を配置するレンガ層になるまで化粧レンガ１０４を積層する（ステップＳ３０６）。図３では３段目のレンガ層１１１３に換気筒１１４を配置することになる。換気筒１１４を配置するレンガ層になったら、予め定めた割合で化粧レンガ１０４とその横の化粧レンガ１０４の間に換気筒１１４を配置して隙間にモルタル目地１０３を配置する（ステップＳ３０７）。
【０１１５】
この後、梯子筋１１６を配置する段まで化粧レンガ１０４を積層する（ステップＳ３０８）。図３では４段目のレンガ層１１１４まで化粧レンガ１０４を積層する。そして、化粧レンガ１０４の列の上面に梯子筋１１６を配置し（ステップＳ３０９）、モルタル目地１０３を置く。
【０１１６】
次に、今配置した梯子筋１１６を下端としたときのユニット１８３の所定位置に対応する構造用合板１０８の箇所に、図８（Ａ）で示す直線状のウオールタイ１０７のネジ部分１０７Ａの先端を当てる。この位置の背後には、ウオールタイ固定用間柱１０６Ａが存在する。ウオールタイ１０７の先端を構造用合板１０８を介してウオールタイ固定用間柱１０６Ａに固定（剛接合）する（ステップＳ３１０）。このときネジ部分１０７Ａをウオールタイ固定用間柱１０６Ａに完全に螺入するが、既に説明したようにネジ部分１０７Ａをウオールタイ固定用間柱１０６Ａの内部の奥側に更に所定長ねじ込むようにしてもよい。
【０１１７】
このようにしてウオールタイ１０７を一列のユニット１８３のそれぞれ所定位置に固定したら、専用の工具を用いて、それぞれのウオールタイ１０７の他端部分１０７Ｂを図８（Ｂ）に示すように水平に折り曲げてＬ字状にする（ステップＳ３１１）。そして、これらのウオールタイ１０７のすぐ下まで化粧レンガ１０４を積層してモルタル目地１０３を置き、その上に化粧レンガ１０４を積むことでこれらのウオールタイ１０７を固定（剛接合）する（ステップＳ３１２）。
【０１１８】
この後、レンガ壁１０５が軒天井位置すなわちレンガ壁１０５の設計上の最上部の位置まで到達したかをチェックして、到達していなければ（Ｎ）、ステップＳ３０８に進んで、ステップＳ３０８〜ステップＳ３１２の処理を行う。レンガ壁１０５が軒天井位置に到達した場合には（ステップＳ３１３：Ｙ）、レンガ壁１０５の形成を終了させる（エンド）。
【０１１９】
このようにして形成したレンガ壁１０５には、ユニット１８３単位でウオールタイ１０７が固定されている。しかもウオールタイ１０７はそれらの一端が構造用合板１０８を介してウオールタイ固定用間柱１０６Ａに固定（剛接合）され、他端はレンガ壁１０５の内部に固定（剛接合）されている。したがって、建築物としての住宅やこれに通気層１９２を介して配置されるレンガ壁１０５に地震等の外力が掛かっても、レンガ壁１０５の崩壊や変形を最小限にとどめることができる。
【０１２０】
しかも本実施の形態の場合には、レンガ壁１０５にユニット１８３単位の間隔で梯子筋１１６を組み込んでいるので、耐震性を更に高めることができる。また、レンガ壁１０５に伸縮防水シート１０２や換気目地１１２および換気筒１１４を使用しているので、排水や換気を良好に行うことができ、レンガ壁１０５の経年変化による劣化も最小限とすることができる。
【０１２１】
なお、本発明のレンガ壁支持構造およびレンガ壁形成方法は、以上説明した実施の形態に限定されるものではない。たとえばウオールタイ１０７の担当するユニット１８３のサイズを更に小さくしたり、ウオールタイ１０７の材質や直径を変更することで、想定される地震等の外力に対して各ユニット１８３がウオールタイ１０７で完全に吊られた状態とすることも可能である。この場合、レンガ壁１０５は外力の印加に応じてそれぞれのウオールタイ１０７が可逆的な変位を行い、外力を除去すると短時間に元の形状のレンガ壁１０５に復帰することになる。
【０１２２】
伸縮防水シート１０２、換気目地１１２、換気筒１１４あるいは梯子筋１１６の使用は適宜不要としたり、使用する割合を変更できることはもちろんである。また、通気層１９２の厚さも自由に設計できることは当然である。また、換気筒１１４を構成する筒部分の形状は円筒である必要はない。すなわち、筒の断面は円形以外にも楕円形、方形、三角形等の各種の形状が可能である。更に実施の形態で換気目地１１２はＺ字形の折り返し片１３４を備えることにしたが、これについても換気を可能とする形状で各種の形状変更が可能である。
【０１２３】
また、実施の形態では化粧レンガ１０４として図７に示した１０個の穴１０５が貫通したレンガを使用したが、穴１０５のサイズや個数は実施の形態に限定されず、中実となっていてもよい。また、化粧レンガ１０４の材質は特に限定されず、レンガ壁１０５の一部にレンガ以外の材質のブロック形状の構造体が使用されても本発明を同様に適用可能であることは当然である。
【０１２４】
以上説明した実施の形態の一部または全部は、以下の付記のようにも記載されるが、以下の記載に限定されるものではない。
【０１２５】
（付記１）
住宅の骨組みとしての構造躯体と、
この構造躯体における前記した住宅の外部との境界面に対して釘によって固定される平板状の構造強化用面材と、
この構造強化用面材を構成する面と所定の間隔を保つようにして前記した住宅の外部に配置され、目地を介して直方体をした化粧レンガを壁状に垂直方向および水平方向に複数配置してなるレンガ壁と、
このレンガ壁を垂直方向および水平方向に所定の長さからなる単位領域としてのユニットごとに架空的に分割したときの、これらのユニット単位で前記した構造強化用面材の対応位置から、断面が円形をし一端部分を螺刻された１本の鋼材の前記した一端部分を螺入することでその部分を固定すると共に、その鋼材の他端部分を前記したレンガ壁の前記した化粧レンガ同士が垂直方向に隣接して配置されるべき箇所に水平面内で折り曲げて配置して前記した目地と共に固定することで前記した構造躯体とレンガ壁をユニット単位で支持するウオールタイ
とを具備することを特徴とするレンガ壁支持構造。
【０１２６】
（付記２）
前記したウオールタイと前記した構造強化用面材および前記したレンガ壁の接点は、共に剛接合となっていることを特徴とする付記１記載のレンガ壁支持構造。
【０１２７】
（付記３）
前記した構造躯体が耐震設計における許容範囲内での最大の揺れを生じたとき、前記した構造躯体およびレンガ壁にそれぞれの端部を固定したウオールタイが降伏点に未到達となるような化粧レンガの集まりからなる矩形をした仮想領域を前記したウオールタイの１本１本が担当して受け持つユニットとして予め設定しておくことを特徴とする付記１記載のレンガ壁支持構造。
【０１２８】
（付記４）
前記した構造躯体が耐震設計における許容範囲内での最大の揺れを生じたとき、前記した構造躯体およびレンガ壁にそれぞれの端部を固定したウオールタイが可逆的な変位を行い、外力を除去すると短時間に元の形状に復帰する範囲の化粧レンガの集まりからなる矩形をした仮想領域を前記したウオールタイの１本１本が担当して受け持つユニットとして予め設定しておくことを特徴とする付記１記載のレンガ壁支持構造。
【０１２９】
（付記５）
前記したウオールタイの前記した一端部分の先端はテーパ形状に螺刻されており、前記した一端部分の全体を前記した間柱に螺入して固定することを特徴とする付記１記載のレンガ壁支持構造。
【０１３０】
（付記６）
前記したウオールタイの前記した他端部分は水平に折れ曲がった形状に加工された後、前記した化粧レンガ同士の垂直方向における接合箇所であるモルタル目地にそれぞれ埋設されることで前記したレンガ壁に固定されることを特徴とする付記１記載のレンガ壁支持構造。
【０１３１】
（付記７）
前記した構造躯体の基礎を構成する垂直な壁面における前記したレンガ壁と対向する面の上部には防水シートの上部が配置され、この防水シートの下部は前記したレンガ壁の最下端面と前記した基礎を構成する所定の水平な面の間に挟持されていることを特徴とする付記１記載のレンガ壁支持構造。
【０１３２】
（付記８）
前記したレンガ壁の所定段を構成する横一列に配置された前記した化粧レンガの接合部の少なくとも一部には、所定の形状をした換気筒が配置されていることを特徴とする付記１記載のレンガ壁支持構造。
【０１３３】
（付記９）
前記したレンガ壁の所定段を構成する横一列に配置された前記した化粧レンガの上面と更に１段上に横一列に配置された化粧レンガの下面との間に配置される目地には、梯子を水平に配置した形状をした梯子筋が構造強化部材として埋設されていることを特徴とする付記１記載のレンガ壁支持構造。
【０１３４】
（付記１０）
前記した梯子筋は横方向に連なる前記したユニットを構成する複数の前記した化粧レンガの上部を１箇所で横断するように配置されることを特徴とする付記９記載のレンガ壁支持構造。
【０１３５】
（付記１１）
住宅の骨組みとしての構造躯体における前記した住宅の外部との境界面に平板状の構造強化用面材を釘によって固定する構造強化用面材固定ステップと、
この構造強化用面材固定ステップで固定した前記した構造強化用面材に対して前記した基礎からの高さが予め定めた１ユニットの高さ単位で前記した化粧レンガが積み上げられるたびに予め定めた水平方向に間隔を置いて細長い鋼材からなるウオールタイの一端部分を貫通させ前記した構造躯体にねじ込むことで剛接合するウオールタイ一端側剛接合ステップと、
このウオールタイ一端側剛接合ステップで一端部分を構造躯体に剛接合した前記したウオールタイの他端側を水平面内で直角に折り曲げるウオールタイ折り曲げステップと、
前記した住宅の基礎に対して前記した構造強化用面材と所定の間隔を置いて化粧レンガを１段ずつ積層して所定サイズのレンガ壁を形成していく化粧レンガ積層ステップと、
この化粧レンガ積層ステップで前記した化粧レンガを１段ずつ積層していくとき、前記したウオールタイ一端側剛接合ステップで前記した構造強化用面材に剛接合したウオールタイのいずれかが前記した化粧レンガの所定段における上面の高さに一致するようになったとき、該当するウオールタイにおける前記したウオールタイ折り曲げステップで直角に折り曲げた前記した他端側を、この折り曲げにより生じた面がこれらの化粧レンガの前記した上面と平行になるように配置することで剛接合するウオールタイ他端側剛接合ステップと、
このウオールタイ他端側剛接合ステップで前記した該当するウオールタイを化粧レンガの前記した上面と平行になるように配置した後、その上に目地を介して前記した化粧レンガの積層を開始することで予め定めた高さまで化粧レンガの積み上げと前記したウオールタイの剛接合を順次行ってレンガ壁を形成するレンガ壁形成ステップ
とを具備することを特徴とするレンガ壁形成方法。
【０１３６】
（付記１２）
前記した化粧レンガ積層ステップで前記した化粧レンガを積層する過程で前記した１ユニットを単位として前記したレンガ壁の高さが高くなるたびに次の段の化粧レンガを積み上げる前に梯子を水平に配置した形状をした梯子筋を構造強化部材として前記した化粧レンガの上面に配置する梯子筋配置ステップを更に具備することを特徴とする付記１１記載のレンガ壁形成方法。
【０１３７】
（付記１３）
前記した化粧レンガ積層ステップで前記した化粧レンガを積層する過程で、前記した構造強化用面材と前記したレンガ壁の間の空間の換気が必要とされる所定の高さに相当する化粧レンガ同士の継ぎ目に所定の形状をした換気手段を配置する換気手段配置ステップを更に具備することを特徴とする付記１１記載のレンガ壁形成方法。
【０１３８】
（付記１４）
前記した換気手段は所定の形状をした換気筒あるいは換気用の目地であることを特徴とする付記１３記載のレンガ壁形成方法。
【産業上の利用可能性】
【０１３９】
以上説明したレンガ壁支持構造およびレンガ壁形成方法は、住宅のレンガ壁に適用される他に、レンガ壁を使用した一般の建築物におけるレンガ壁支持構造およびレンガ壁形成方法としても利用可能である。
【符号の説明】
【０１４０】
１０  レンガ壁支持構造
１１  構造躯体
１２  構造強化用面材
１３、１０５  レンガ壁
１４、１０７  ウオールタイ
２０  レンガ壁形成方法
２１  構造強化用面材固定ステップ
２２  ウオールタイ一端側剛接合ステップ
２３  ウオールタイ折り曲げステップ
２４  化粧レンガ積層ステップ
２５  ウオールタイ他端側剛接合ステップ
２６  レンガ壁形成ステップ
１０１  外周布基礎
１０２  伸縮防水シート
１０３  モルタル目地
１０４  化粧レンガ
１０６  間柱
１０６Ａ  ウオールタイ固定用間柱
１０６Ｂ  釘固定用間柱
１０７Ａ  ネジ部分
１０８、２０６  構造用合板
１０９  釘
１１１  レンガ層
１１２  換気目地
１１４  換気筒
１１６  梯子筋
１８３  ユニット
１９１  バネ
１９２  通気層
２０１  土台
２０２  試験用間柱
２０３  加力用桁
【図１】
2014201871.tif 000003
【図２】
2014201871.tif 000004
【図３】
2014201871.tif 000005
【図４】
2014201871.tif 000006
【図５】
2014201871.tif 000007
【図６】
2014201871.tif 000008
【図７】
2014201871.tif 000009
【図８】
2014201871.tif 000010
【図９】
2014201871.tif 000011
【図１０】
2014201871.tif 000012
【図１１】
2014201871.tif 000013
【図１２】
2014201871.tif 000014
【図１３】
2014201871.tif 000015
【図１４】
2014201871.tif 000016
【図１５】
2014201871.tif 000017
【図１６】
2014201871.tif 000018
【図１７】
2014201871.tif 000019
【図１８】
2014201871.tif 000020
【図１９】
2014201871.tif 000021
【図２０】
2014201871.tif 000022
【図２１】
2014201871.tif 000023
【図２２】
2014201871.tif 000024
【図２３】
2014201871.tif 000025
【図２４】
2014201871.tif 000026
【図２５】
2014201871.tif 000027
【図２６】
2014201871.tif 000028
【図２７】
2014201871.tif 000029
【図２８】
2014201871.tif 000030
【図２９】
2014201871.tif 000031
【図３０】
2014201871.tif 000032
【図３１】
2014201871.tif 000033
【図３２】
2014201871.tif 000034
【図３３】
2014201871.tif 000035
【図３４】
2014201871.tif 000036
【図３５】
2014201871.tif 000037